(57)【要約】  本発明は、遠心ポンプ羽根車の円柱羽根の吸入側曲面の加工方法を開示し、遠心ポンプ羽根車の技術分野に関し、羽根車における羽根の形状を改良することにより、羽根の上部での吸入側角度がより接線方向に偏向し、上部での羽根の吸入角度が低下する。上部の円弧Ｒ１と底部の円弧Ｒ２との間には、ねじれた面が形成される。該ねじれ特性は、羽根の吸入側が流入される流れに対する適応性の改良に寄与する。そして、新たな構造が採用される吸入側の羽根は、まだ円柱形で、型からの抜きが便利である。【選択図】図４
2021521381.tif 000002
【特許請求の範囲】
【請求項１】
従来の円柱羽根の羽根車の円中心を中心とし、直径をＤ１及びＤ２として、前記直径がＤ１である円は改良された羽根上部での吸入口に位置し、前記直径がＤ２である円は改良された羽根底部の吸入口に位置するように円を描画する第１工程、
従来の円柱羽根上部での凹面側曲線上における円中心からの間隔がＳ１であるポイントＰ１を決定し、羽根底部の凹面側曲線上における円中心からの間隔がＳ２であるポイントＰ２を決定する第２工程、
従来の円柱羽根上部での凹面側曲線をポイントＰ１の接線方向に沿って延伸して、円弧Ｒ１を描画し、そして延伸曲線と凸面側曲線が接する円弧Ｒ３を描画する第３工程、
従来の円柱羽根底部での凹面側曲線をポイントＰ２の接線方向に沿って延伸して、円弧Ｒ２を描画し、そして延伸曲線と凸面側曲線が接する円弧Ｒ４を描画する第４工程、及び
円弧Ｒ３から円弧Ｒ４まで、円弧面でＲ３からＲ４までスムーズに渡り、円弧Ｒ４の半径を円弧Ｒ３の半径より大きくし、底部から上部までの抜き勾配を形成する第５工程
を含む、遠心ポンプ羽根車の円柱羽根の吸入側曲面の加工方法。
【請求項２】
間隔Ｓ１＝（１．１−１．３）×（Ｄ１）／２であることを特徴とする請求項１に記載の遠心ポンプ羽根車の円柱羽根の吸入側曲面の加工方法。
【請求項３】
間隔Ｓ２＝（１．１−１．３）×（Ｄ２）／２であることを特徴とする請求項１に記載の遠心ポンプ羽根車の円柱羽根の吸入側曲面の加工方法。
【発明の詳細な説明】
【技術分野】
【０００１】
本発明は、遠心ポンプ羽根車の技術分野、特に遠心ポンプ羽根車の円柱羽根の吸入側曲面の加工方法に関する。
【背景技術】
【０００２】
これまで、円柱羽根遠心ポンプのデザインにおいて、羽根の吸入口のデザインプロセスは、ほとんど注目されていない。円柱形の羽根のデザインでは、羽根の上部曲線と底部曲線が重なっており、実際のデザインの中で、1つの凹面側曲線と1つの凸面側曲線を描画すればよく、例えば『現代のポンプの技術マニュアル』、第一版、１９９５年、第２２９頁を参照する。あるいは、1つの中間曲線のみを描画し、曲線に沿う羽根の厚さを設定すればよい。
【０００３】
学術論文『いくつかの円柱形の羽根に対する解析と検討』、『排灌機械』、２０００には、アルキメデス・スパイラル、円弧線、対数スパイラルなどの描画法を検討しており、いくつかの曲線を使用して接続などができることが開示されている。
【０００４】
学術論文『比較回転数が低いポンプの円柱形羽根の型線に対する検討』、『長江大学学報（自然科学版）』、２００９には、三次多項式による羽根曲線の描画法が開示されている。
【０００５】
特許番号が２０１５１０５２７１７８６である中国特許『吸入口の取付角度が制御可能な円柱形の羽根のデザイン方法』では、該方法は、渦巻線にデザインされた円柱形の羽根曲線を使用し、吸入角度を設定して曲線を描画できる。
明らかに、前記の方法により描画された羽根の上部と底部は同一の曲線である。
【０００６】
しかしながら、羽根上部と羽根底部とは、流入の条件が違い、上部での流入角度が底部での流入角度よりもはるかに小さい。通常、上部曲線と底部曲線は、重ねない。これは、ほとんどの遠心ポンプ羽根車が二重曲率の羽根を用いる理由である（二重曲率とは、羽根の上部曲線と底部曲線が異なる曲線を使用することを指し、ねじれ羽根ともいう）。しかし、二重曲率の羽根は、空間が歪んでいるため、実際の製造が困難となり、モデリングや鋳造のコストも増加する。これも、比較回転数が小さいポンプの一部及びいくつかのコストが低い小型ポンプが円柱羽根を用いる理由である。但し、円柱羽根を用いれば、羽根の吸入側が流入角度に対する不適応性を回避することが困難であり、効率はねじれ羽根の羽根車よりも数パーセント低くなる。
【発明の概要】
【発明が解決しようとする課題】
【０００７】
前記した技術問題を解決するために、本発明は、遠心ポンプ羽根車の円柱羽根の吸入側曲面の加工方法を提供し、前記の曲線を接線方向に沿って延伸することにより、羽根の角度が低減する。改造された上部曲線と底部曲線の間に構成される吸入側曲面は、ねじれ形状を有するが、まだ円柱羽根に保たれ、金型及び鋳造又は射出成型の生産に影響を及ばない。また、本発明の方法が用いられる羽根の吸入側は、より流入方位角に適して、羽根車の機能を改良できる。
【課題を解決するための手段】
【０００８】
前記の本発明の目的を実現するために、本発明は、以下の態様を提供する。
【０００９】
本発明は、遠心ポンプ羽根車の円柱羽根の吸入側曲面の加工方法を提供し、該加工方法は、
従来の円柱羽根の羽根車の円中心を中心とし、直径をＤ１及びＤ２として、前記直径がＤ１である円は改良された羽根上部での吸入口に位置し、前記直径がＤ２である円は改良された羽根底部の吸入口に位置するように円を描画する第１工程、
従来の円柱羽根上部での凹面側曲線上における円中心からの間隔がＳ１であるポイントＰ１を決定し、羽根底部の凹面側曲線上における円中心からの間隔がＳ２であるポイントＰ２を決定する第２工程、
従来の円柱羽根上部での凹面側曲線をポイントＰ１の接線方向に沿って延伸して、円弧Ｒ１を描画し、そして延伸曲線と凸面側曲線が接する円弧Ｒ３を描画する第３工程、
従来の円柱羽根底部での凹面側曲線をポイントＰ２の接線方向に沿って延伸して、円弧Ｒ２を描画し、そして延伸曲線と凸面側曲線が接する円弧Ｒ４を描画する第４工程、及び
円弧Ｒ３から円弧Ｒ４まで、円弧面でＲ３からＲ４までスムーズに渡り、円弧Ｒ４の半径を円弧Ｒ３の半径より大きくし、底部から上部までの抜き勾配を形成する第５工程
を含む。
【００１０】
好ましくは、間隔Ｓ１＝（１．１−１．３）×（Ｄ１）／２である。
【００１１】
好ましくは、間隔Ｓ２＝（１．１−１．３）×（Ｄ２）／２である。
【発明の効果】
【００１２】
本発明は、従来技術に比べて、以下の技術効果を達成している。
本発明における遠心ポンプ羽根車の円柱羽根の吸入側曲面の加工方法では、羽根の上部での吸入側角度がより接線方向に偏向し、上部での羽根の吸入角度が低下する。上部の円弧Ｒ１と底部の円弧Ｒ２との間には、ねじれた面が形成される。該ねじれ特性は、羽根の吸入側が流入される流れに対する適応性の改良に寄与する。そして、新たな構造が採用される吸入側の羽根は、まだ円柱形で、型からの抜きが便利である。
【００１３】
以下、本発明の実施例又は従来技術の技術態様をより明確に説明するために、実施例に用いられる図面を簡単に説明する。明らかに、以下の記載における図面は、単に本願の実施例の一部に過ぎず、当業者は、創造的な労働を付与しない前提で、これらの図面に基づいて他の図面が得られる。
【図面の簡単な説明】
【００１４】
【図１】従来の円柱羽根の羽根車の構造模式図である。
【図２】従来の円柱羽根の羽根車の３次元構造模式図である。
【図３】本発明の遠心ポンプ羽根車の円柱羽根の吸入側曲面の加工方法が用いられる吸入側曲面の加工の構造模式図である。
【図４】本発明の遠心ポンプ羽根車の円柱羽根の吸入側曲面の加工方法が用いられる吸入側曲面の加工の拡大構造模式図である。
【図５】本発明の遠心ポンプ羽根車の円柱羽根の吸入側曲面の加工方法における羽根車の構造模式図である。
【発明を実施するための形態】
【００１５】
以下、本発明の実施例の図面に基づき、本発明の実施例における技術態様を明確的且つ完全に記載する。明らかに、記載する実施例は、本発明の実施例の一部であり、全ての実施例ではない。本発明の実施例に基づいて、当業者が創造的な労働を付与しないことを前提として得られる全てのほかの実施例は、いずれも本発明の保護範囲に含まれる。
【００１６】
実施例１：
図１に示すように、本実施例は、遠心ポンプ羽根車の円柱羽根の吸入側曲面の加工方法を提供し、該加工方法は、
従来の円柱羽根の羽根車の円中心を中心とし、直径をＤ１及びＤ２として、前記直径がＤ１である円は改良された羽根上部での吸入口に位置し、前記直径がＤ２である円は改良された羽根底部の吸入口に位置するように円を描画する第１工程、
従来の円柱羽根上部での凹面側曲線上における円中心からの間隔がＳ１であるポイントＰ１を決定し、前記間隔Ｓ１＝（１．１−１．３）×（Ｄ１）／２であり、羽根底部の凹面側曲線上における円中心からの間隔がＳ２であるポイントＰ２を決定し、前記間隔Ｓ２＝（１．１−１．３）×（Ｄ２）／２である第２工程、
従来の円柱羽根上部での凹面側曲線をポイントＰ１の接線方向に沿って延伸して、円弧Ｒ１を描画し、そして延伸曲線と凸面側曲線が接する円弧Ｒ３を描画する第３工程、
従来の円柱羽根底部での凹面側曲線をポイントＰ２の接線方向に沿って延伸して、円弧Ｒ２を描画し、そして延伸曲線と凸面側曲線が接する円弧Ｒ４を描画する第４工程、及び
円弧Ｒ３から円弧Ｒ４まで、円弧面でＲ３からＲ４までスムーズに渡り、円弧Ｒ４の半径を円弧Ｒ３の半径より大きくし、底部から上部までの抜き勾配を形成する第５工程
を含む。
【００１７】
本明細書では、具体例を用いて本発明の原理および実施態様が説明されており、前記した実施例に対する説明は、単に、本発明の方法および中核となる思想の理解を助けるためのものにすぎない。加えて、当業者は、本発明の思想に従えば、具体的な実施態様および適用範囲に対して変更を加えることもできる。したがって、本明細書の内容を本発明に対する限定として解釈してはならない。
【符号の説明】
【００１８】
１  羽根上部での凸面側と凹面側の曲線
２  羽根底部での凸面側と凹面側の曲線
３  羽根の吸入側
４  羽根上部での凸面側の曲線
５  羽根上部での凹面側の曲線
６  ねじれた面
７  羽根底部での凹面側の曲線
８  羽根底部での凸面側の曲線
【図１】
2021521381.tif 000003
【図２】
2021521381.tif 000004
【図３】
2021521381.tif 000005
【図４】
2021521381.tif 000006
【図５】
2021521381.tif 000007
【国際調査報告】
2021521381.tif 000008
2021521381.tif 000009
2021521381.tif 000010
2021521381.tif 000011